(57)【要約】【課題】ユーザのデジタルカメラの設定作業を容易化する。【解決手段】プリンタ２の全体制御部２０３は、プリンタ２と無線通信を行うために、デジタルカメラ１に設定すべき内容を二次元バーコードで表した画像を用紙上に印刷する。デジタルカメラ１の全体制御部１０３は、入力部１０１におけるユーザ操作によって通信設定要求を受け付けると、ユーザにプリンタ２で印刷された二次元バーコードの撮影を促すメッセージを表示部１０２に表示し、その後、ユーザによって撮影した画像に含まれる二次元バーコードを解析、デコードし、通信設定情報を取得し、取得した通信設定情報を、無線インタフェース１０９やプリンタインタフェース制御部１１０などの必要箇所に設定する。【選択図】図１
2005210267.tif 000002
【特許請求の範囲】
【請求項１】
画像の撮影を行う画像入力装置と、無線伝送路を用いた通信を介して前記画像入力装置から転送された画像を印刷するプリンタとよりなるプリントシステムであって、
前記プリンタは、前記画像入力装置が当該プリンタと前記通信を行うために必要となる設定情報を表すパターンを用紙上に印刷出力する設定情報出力手段を有し、
前記画像入力装置は、前記用紙上に印刷された前記パターンを撮影した画像を解析して前記設定情報を取得し、取得した設定情報に基づいて、前記プリンタとの間の前記通信の設定を行う通信設定手段を有することを特徴とするプリントシステム。
【請求項２】
請求項１記載のプリントシステムであって、
前記画像入力装置は、デジタルカメラであることを特徴とするプリントシステム。
【請求項３】
請求項１または２記載のプリントシステムであって、
前記プリンタの前記設定情報出力手段は、前記パターンとして前記設定情報をエンコードしたバーコードもしくは二次元バーコードを前記用紙上に印刷出力し、
前記画像入力装置の通信設定手段は、前記撮影した画像に含まれるバーコードもしくは二次元バーコードをデコードして前記設定情報を取得することを特徴とするプリントシステム。
【請求項４】
画像の撮影を行う画像入力装置と、
表示装置を備えた設定編集装置とを有し、
設定編集装置は、ユーザ操作に応じて、前記画像入力装置の設定情報を編集し、編集した設定情報を表すパターンを前記表示装置の表示画面上に表示する設定情報編集出力手段を有し、
前記画像入力装置は、前記表示画面に表示された前記パターン撮影した画像を解析して前記設定情報を取得し、取得した設定情報に基づいて、自己の設定を行う設定手段を有することを特徴とする画像入力システム。
【請求項５】
画像の撮影を行う画像入力装置と、無線伝送路を用いた通信を介して前記画像入力装置から転送された画像を印刷するプリンタとよりなるプリントシステムにおいて、前記画像入力装置と前記プリンタとの通信を開設するための設定を前記画像入力装置に対して行う画像入力装置の設定方法であって、
前記プリンタにおいて、前記画像入力装置が当該プリンタと前記通信を行うために必要となる設定情報を表すパターンを用紙上に印刷出力するステップと、
前記画像入力装置において、前記用紙上に印刷された前記パターンを撮影した画像を解析して前記設定情報を取得し、取得した設定情報に基づいて、前記プリンタとの間の前記通信の設定を行うステップとを有することを特徴とする画像入力装置の設定方法。
【請求項６】
画像の撮影を行う画像入力装置の設定を行う画像入力装置の設定方法であって、
表示装置を備えた装置において、ユーザ操作に応じて、前記画像入力装置の設定情報を編集し、編集した設定情報を表すパターンを前記表示装置の表示画面上に表示するステップと、
前記画像入力装置において、前記表示画面に表示された前記パターン撮影した画像を解析して前記設定情報を取得し、取得した設定情報に基づいて、自己の設定を行うステップとを有することを特徴とする画像入力装置の設定方法。
【発明の詳細な説明】
【技術分野】
【０００１】
本発明はデジタルカメラに代表される画像入力装置の設定作業を容易化する技術に関するものである。
【背景技術】
【０００２】
デジタルカメラなどのコンピュータに接続することが可能な画像入力装置の設定法は、大きく二つに分類することができる。
一つは、コンピュータに画像入力装置を接続し、コンピュータから当該画像入力装置を制御して、その設定を行う方法であり（たとえば、特許文献１）、もう一つは、画像入力装置自身が当該画像入力装置のユーザ操作に応じて自身の設定を行う方法である。
【特許文献１】特開２００３−１１０５４３号公報
【発明の開示】
【発明が解決しようとする課題】
【０００３】
前記コンピュータに接続して画像入力装置の設置を行う方法によれば、デジタルカメラのように通常はコンピュータとは独立して使用される画像入力装置については、当該画像入力装置を一々コンピュータに接続する煩雑な作業を経なければ、当該画像入力装置の設定を行えないという問題がある。また、画像入力装置に対して、当該画像入力装置をコンピュータに接続するための設定を行う必要がある場合において、この接続のための設定に、この方法を適用することはできない。
【０００４】
一方、デジタルカメラのように比較的小型の画像入力装置では、小サイズの表示装置や小サイズの入力部などの限られたユーザインタフェース資源しか備えられない場合が多い。そして、このような限られたユーザインタフェース資源しか備えていない画像入力装置では、当該画像入力装置に対する操作をユーザが充分に簡易に行えるようにすることは困難である。したがって、画像入力装置自身が当該画像入力装置のユーザ操作に応じて自身の設定を行う方法には、ユーザの操作の困難性が伴うという問題がある。
【０００５】
そこで、本発明は、画像入力装置の設定作業を容易化することを課題とする。
【課題を解決するための手段】
【０００６】
前記課題達成のために、本発明は、画像の撮影を行う画像入力装置と、無線伝送路を用いた通信を介して前記画像入力装置から転送された画像を印刷するプリンタとよりなるプリントシステムにおいて、前記プリンタに、前記画像入力装置が当該プリンタと前記通信を行うために必要となる設定情報を表すパターンを用紙上に印刷出力する設定情報出力手段を設け、前記画像入力装置に、前記用紙上に印刷された前記パターンを撮影した画像を解析して前記設定情報を取得し、取得した設定情報に基づいて、前記プリンタとの間の前記通信の設定を行う通信設定手段を設けたものである。
【０００７】
ここで、前記画像入力装置は、たとえば、デジタルカメラである。
このようなプリントシステムによれば、プリンタで印刷された用紙を画像入力装置で撮影するだけで、当該画像入力装置をプリンタと通信可能とするための通信設定が完了する。したがって、ユーザの画像入力装置の、通信設定作業が容易化される。
なお、このようなプリントシステムは、前記プリンタの前記設定情報出力手段において、前記パターンとして前記前記設定情報をエンコードしたバーコードもしくは二次元バーコードを前記用紙上に印刷出力し、前記画像入力装置の通信設定手段において、前記撮影した画像に含まれるバーコードもしくは二次元バーコードをデコードして前記設定情報を取得するようにしてもよい。
【０００８】
また、前記課題達成のために、本発明は、画像の撮影を行う画像入力装置と、表示装置を備えた設定編集装置とより画像入力システムを構成し、設定編集装置に、ユーザ操作に応じて、前記画像入力装置の設定情報を編集し、編集した設定情報を表すパターンを前記表示装置の表示画面上に表示する設定情報編集出力手段を設け、前記画像入力装置に、前記表示画面に表示された前記パターン撮影した画像を解析して前記設定情報を取得し、取得した設定情報に基づいて、自己の設定を行う設定手段を設けたものである。
【０００９】
このような画像入力システムによれば、ユーザは、画像入力装置を設定編集装置に有線接続等することなしに、設定編集装置の表示画面を画像入力装置で撮影するだけで、当該画像入力装置の各種設定を行うことができる。したがって、ユーザの画像入力装置の設定作業が容易化される。
【発明の効果】
【００１０】
以上のように、本発明によれば、画像入力装置の設定作業を容易化することができる。
【発明を実施するための最良の形態】
【００１１】
以下、本発明の実施形態について説明する。
まず、第１の実施形態を、デジタルカメラと、デジタルカメラと直接無線接続しデジタルカメラで撮影された画像を印刷するプリンタとより構成されるシステムへの適用を例にとり説明する。
図１に、本実施形態に係るデジタルカメラとプリンタの構成を示す。
図示するように、デジタルカメラ１は各種キーよりなる入力部１０１と、液晶表示装置などを用いた表示部１０２と、デジタルカメラ１全体の動作を制御する全体制御部１０３と、画像の撮影を行う光学系や撮像素子やその他の撮影機構よりなる撮影部１０４と、画像を記録する画像記録部１０５と、撮影された画像の画像処理や画像記録部１０５への記録や画像記録部１０５に記録された画像の表示や転送処理を行う画像処理部１０６と、コンピュータとＵＳＢやその他の有線入出力インタフェースでデータの入出力を行う入出力インタフェース１０７と、入出力インタフェース１０７を介したホストコンピュータとの通信処理を担うホストインタフェース制御部１０８と、プリンタとＩＥＥＥ  ８０２．１１シリーズやBluetooth（商標）などの無線インタフェースによって接続するための無線インタフェース１０９と、無線インタフェース１０９を介したプリンタとの通信処理を担うプリンタインタフェース制御部１１０とを有している。
【００１２】
一方、プリンタ２は、各種キーよりなる入力部２０１と、液晶表示装置などを用いた表示部２０２と、プリンタ２全体の動作を制御する全体制御部２０３と、用紙への印刷を行うプリントエンジン２０４と、印刷データの画像への展開処理やプリントエンジン２０４の印刷動作の制御を行うプリンタコントローラ２０５と、コンピュータとＵＳＢやその他の有線入出力インタフェースでデータの入出力を行う入出力インタフェース２０６と、入出力インタフェース２０６を介したホストコンピュータとの通信処理を担うホストインタフェース制御部２０７と、デジタルカメラ１とＩＥＥＥ  ８０２．１１シリーズやBluetooth（商標）などの無線インタフェース１０９によって接続するための無線インタフェース２０８と、無線インタフェース２０８を介したデジタルカメラ１との通信処理を担うデジタルカメラインタフェース制御部２０９とを有している。
【００１３】
さて、このようなプリンタ２の構成において、入出力インタフェース２０６がコンピュータに接続されている状態において、ホストインタフェース制御部２０７は、コンピュータより印刷データを受け取り、プリンタコントローラ２０５を介してプリントエンジン２０４で、印刷データが表す画像を印刷する。また、無線インタフェース２０８がデジタルカメラ１と接続されている状態（デジタルカメラ１と通信可能な状態）において、デジタルカメラインタフェース制御部２０９は、デジタルカメラ１から印刷要求を受けると、デジタルカメラ１から画像データを取込み、プリンタコントローラ２０５を介して、取り込んだ画像をプリントエンジン２０４より印刷する。
【００１４】
一方、デジタルカメラ１において、入出力インタフェース１０７がコンピュータに接続されている状態において、ホストインタフェース制御部１０８は、コンピュータよりの要求に応じて、画像処理部１０６を制御して、画像データをコンピュータに転送する。また、無線インタフェース１０９がプリンタ２に接続されている状態（プリンタ２と通信可能な状態）において、プリンタインタフェース制御部１１０は、ユーザ操作に応じてプリンタ２に印刷要求を発行し、プリンタ２よりの要求に応じて、画像処理部１０６を制御して、画像データをプリンタ２に転送する。
【００１５】
以下、このようなデジタルカメラ１がプリンタ２と無線通信によって通信を行うための設定をデジタルカメラ１に対して行う通信設定動作について説明する。
まず、プリンタ２の全体制御部２０３は、入力部２０１におけるユーザ操作によって通信設定印刷要求を受け取ると、プリンタ２と無線通信を行うために、デジタルカメラ１に設定すべき内容を二次元バーコードで表した画像を用紙上に印刷する。図２ａは、このような用紙上への印刷結果例を表すものであり、この例では、４つの二次元バーコードで、デジタルカメラ１に設定すべきデータを表している。
【００１６】
一方、デジタルカメラ１の全体制御部１０３は、入力部１０１におけるユーザ操作によって通信設定要求を受け付けると、図３に示す通信設定処理を行う。
すなわち、まず、表示部１０２に、プリンタ２で印刷された二次元バーコードを印刷するようユーザに求めるメッセージを表示する（ステップ３０２）。
そして、このメッセージに応答し、ユーザがプリンタ２で印刷された二次元バーコードを撮影部１０４で撮影したならば（ステップ３０６）、撮影された画像を画像処理部１０６を介して読み出して（ステップ３０８）、画像に含まれる二次元バーコードを解析、デコードし、通信設定情報を取得する（ステップ３１０）。そして、取得した通信設定情報を、無線インタフェース１０９やプリンタインタフェース制御部１１０などの必要箇所に設定し（ステップ３１４）、処理を終了する。
【００１７】
一方、もし、ユーザが、撮影を行わず、入力部１０１でキャンセル操作を行った場合（ステップ３０４）には、そのまま処理を終了する。また、撮影画像からの二次元バーコードのデコードに失敗した場合（ステップ３１２）には、再度、プリンタ２で印刷された二次元バーコードを撮影するようユーザに求めるメッセージを表示部１０２に表示し、ステップ３０４からの処理を行う。
【００１８】
ここで、このようにしてプリンタ２が二次元バーコードの形態で印刷し、デジタルカメラ１において撮影画像中の二次元バーコードをデコードして取得する通信設定情報としては、たとえば、デジタルカメラ１とプリンタ２との間の無線インタフェース１０９としてＩＥＥＥ  ８０２．１１シリーズを用いる場合には、プリンタ２に設定されているプリンタ２のサービス識別子であるＥＳＳ−ＩＤや、プリンタ２が通信に用いる暗号のキーであるＷＥＰキーなどを用いることができる。また、デジタルカメラ１とプリンタ２との間の無線インタフェース１０９としてBluetoothを用いる場合には、プリンタ２のＰＩＮコード（パスコード）なども、この通信設定情報として用いることができる。また、これら以外にも、そのシステムにおいて採用されている各レイヤのアーキテクチャ、プロトコルに従って、プリンタ２とデジタルカメラ１が各レイヤにおいて通信を行うために必要とする任意の情報を通信設定情報として含めることができる。
【００１９】
以上、本発明の第１の実施形態について説明した。
このように本第１実施形態によれば、ユーザは、デジタルカメラ１をプリンタ２に有線接続等することなしに、プリンタ２で印刷された用紙をデジタルカメラ１で撮影するだけで、当該デジタルカメラ１をプリンタ２と通信可能とするための通信設定が完了する。したがって、ユーザのデジタルカメラ１の、通信設定作業が容易化される。
【００２０】
以下、本発明の第２の実施形態を、デジタルカメラ１と、ユーザがデジタルカメラ１の設定情報の編集を行うコンピュータとより構成されるシステムへの適用を例にとり説明する。
図４に、本実施形態に係るデジタルカメラ１とコンピュータの構成を示す。
図示するように、デジタルカメラ１は前記第１実施形態で示したデジタルカメラ１の構成より、プリンタインタフェース制御部１１０と、無線インタフェース１０９を省略した構成を有している。
一方、コンピュータ４は、入力装置４０１、表示装置４０２、ＵＳＢ等の入出力インタフェース４０３、オペレーティングシステム４０４、オペレーティングシステム４０４上で稼働する複数のアプリケーションを有する。ただし、コンピュータ４は、ハードウエア的には、ＣＰＵやメモリや外部記憶装置や入力装置４０１や表示装置４０２などの通常の汎用コンピュータとしての構成を備えたものである。ここで、コンピュータ４上のアプリケーションとしては、デジタルカメラ１から取り込んだ画像データを管理する画像管理アプリケーション４０５と、ユーザ操作に応じてデジタルカメラ１の設定情報の編集と表示出力を行うデジタルカメラ設定アプリケーション４０６と、その他のアプリケーション４０７とが含まれる。
【００２１】
さて、このような構成において、入出力インタフェース４０３にデジタルカメラ１が接続されている状態において、コンピュータ４の画像管理アプリケーション４０５はオペレーティングシステム４０４、入出力インタフェース４０３を介して、デジタルカメラ１に画像データを要求し取り込む。一方、入出力インタフェース１０７がコンピュータ４に接続された状態において、デジタルカメラ１のホストインタフェース制御部１０８は、コンピュータ４よりの要求に応じて、画像処理部１０６を制御して、要求された画像データをコンピュータ４に転送する。
【００２２】
また、コンピュータ４のデジタルカメラ設定アプリケーション４０６は、入力装置４０１と表示装置４０２とを用いた適当なＧＵＩによって、デジタルカメラ１の各種設定をユーザから受け付ける。ここで、受け付ける設定の種類は、任意でよい。すなわち、ここでは、デジタルカメラ１の日時設定、撮影モード設定、省電力設定、通信モード設定など任意の種類の設定を受け付けるようにして良い。
【００２３】
そして、デジタルカメラ設定アプリケーション４０６は、入力装置４０１を介して、ユーザから設定出力の指示があると、それまで編集されたデジタルカメラ１の設定内容を二次元バーコードとして表した画像を、たとえば、図２ｂに示すように表示装置４０２に表示する。
【００２４】
一方、デジタルカメラ１の全体制御部１０３は、入力部１０１におけるユーザ操作によって設定要求を受け付けると、まず、表示部１０２に、コンピュータ４の表示装置４０２に表示された二次元バーコードを撮影するようユーザに求めるメッセージを表示する。そして、このメッセージに応答し、ユーザがコンピュータ４の表示装置４０２に表示された二次元バーコードを撮影部１０４で撮影したならば、撮影された画像を画像処理部１０６を介して読み出して、画像に含まれる二次元バーコードを解析、デコードし、設定情報を取得する。そして、取得した通信設定情報を、各部の必要箇所に設定し、処理を終了する。
【００２５】
以上、本発明の第２の実施形態について説明した。
このように、本第２実施形態によれば、ユーザは、デジタルカメラ１をコンピュータ４に有線接続等することなしに、コンピュータ４の表示画面をデジタルカメラ１で撮影するだけで、当該デジタルカメラ１の各種設定を行うことができる。したがって、ユーザのデジタルカメラ１の設定作業が容易化される。
【００２６】
以上、本発明の実施形態について説明した。
なお、以上では、設定情報を二次元バーコードとして印刷または表示し、デジタルカメラ１において撮影した二次元バーコードをデコードして設定情報を取得する例について説明したが、設定情報はデジタルカメラ１において設定情報を認識可能な任意のパターン、たとえばテキストやバーコードで印刷、表示するようにしてかまわない。ここで、この場合には、デジタルカメラ１において印刷内容、表示内容を撮影し、撮影した画像より設定情報を認識、取得するようにする。
【００２７】
また、以上では、デジタルカメラ１の設定を例にとり説明したが、本実施形態におけるデジタルカメラ１の設定の技術は、携帯電話機や、その他の画像入力機能を備えた任意の装置の設定に同様に適用可能である。
【図面の簡単な説明】
【００２８】
【図１】本発明の第１実施形態に係るデジタルカメラとプリンタの構成を示すブロック図である。
【図２】本発明の第１実施形態に係るプリンタが印刷する印刷画像例と第２実施形態に係るコンピュータの表示画面例を示す図である。
【図３】本発明の第１実施形態に係るデジタルカメラが行う通信設定処理を示すフローチャートである。
【図４】本発明の第１実施形態に係るデジタルカメラとコンピュータの構成を示すブロック図である。
【符号の説明】
【００２９】
１…デジタルカメラ、２…プリンタ、４…コンピュータ、１０１…入力部、１０２…表示部、１０３…全体制御部、１０４…撮影部、１０５…画像記録部、１０６…画像処理部、１０７…入出力インタフェース、１０８…ホストインタフェース制御部、１０９…無線インタフェース、１１０…プリンタインタフェース制御部、２０１…入力部、２０２…表示部、２０３…全体制御部、２０４…プリントエンジン、２０５…プリンタコントローラ、２０６…入出力インタフェース、２０７…ホストインタフェース制御部、２０８…無線インタフェース、２０９…デジタルカメラインタフェース制御部、４０１…入力装置、４０２…表示装置、４０３…入出力インタフェース、４０４…オペレーティングシステム、４０５…画像管理アプリケーション、４０６…デジタルカメラ設定アプリケーション、４０７…アプリケーション。
【図１】
2005210267.tif 000003
【図２】
2005210267.tif 000004
【図３】
2005210267.tif 000005
【図４】
2005210267.tif 000006